(57)【要約】【課題】遊技機の入れ替えや変更等に容易に対応できるとともに、遊技機の演出効果を低減させることなく、各遊技機固有の情報を遊技者が容易に見ることができる手段を提供する。【解決手段】遊技機２ごとに隣接して配置され、遊技機２に遊技媒体を貸し出す台間貸出機１の内部の、台間貸出機１へ遊技媒体を供給する遊技媒体供給部５２に、不揮発性メモリカード６用のカードリーダ６１を設ける。メモリカード６を用いることにより、情報の更新が容易に行えるうえ、空きスペースを利用してカードリーダ６１を設けることができる。【選択図】図３
2009291432.tif 000002
【特許請求の範囲】
【請求項１】
遊技機ごとに隣接して配置され、前記遊技機に遊技媒体を貸し出す台間貸出機において、前記台間貸出機内部の、前記台間貸出機へ前記遊技媒体を供給する遊技媒体供給部に、不揮発性メモリカード用のカードリーダが設けられていることを特徴とする、台間貸出機。
【請求項２】
前記カードリーダのカード挿入口を覆うカバーが設けられていることを特徴とする、請求項１に記載の台間貸出機。
【請求項３】
前記カバーは、開いたときに、前記遊技媒体供給部の遊技媒体投入口を塞ぐことを特徴とする、請求項２に記載の台間貸出機。
【請求項４】
前記カバーは、前記遊技媒体供給部の扉を閉めるときに、前記扉に連動して閉じ、前記扉を開くときには前記扉に連動せず閉じた状態を保つことを特徴とする、請求項２または３に記載の台間貸出機。
【請求項５】
前記台間貸出機の前面に、前記メモリカードに記録された情報を表示する表示部が備えられ、前記メモリカードには、遊技方法、ボーナス確率、図柄配列、図柄ごとの配当、ボーナス時の払い出し枚数、リプレイタイムの回数、天井の回数、大当たり時の画像、ステージが上がったときの画像、各ステージに現れるキャラクタの画像、の少なくともいずれか一つを含む当該遊技機固有の情報が記録されていることを特徴とする、請求項１〜４のいずれかに記載の台間貸出機。
【請求項６】
前記メモリカードには前記情報が複数の画像として記録され、前記表示部にスライドショー方式で表示されることを特徴とする、請求項５に記載の台間貸出機。
【請求項７】
前記メモリカードは、ＳＤカードであることを特徴とする、請求項１〜６のいずれかに記載の台間貸出機。
【請求項８】
前記表示部は、前記遊技機からの信号を受けて前記遊技機のリアルタイムの遊技情報を表示可能であることを特徴とする、請求項５〜７のいずれかに記載の台間貸出機。
【発明の詳細な説明】
【技術分野】
【０００１】
本発明は、遊技施設において、スロットマシンやパチンコ機等の遊技機ごとに隣接して配置され、遊技機で用いられるメダルや遊技球等の遊技媒体を貸し出す台間貸出機に関するものである。
【背景技術】
【０００２】
パチスロやパチンコ等の遊技施設では、遊技機は、通常、背中合わせに２列に並べられ、遊技機に隣接して、各遊技機１台ずつに対応して台間貸出機が設置されている。台間貸出機は、遊技者により挿入された磁気カードやＩＣカード等のプリペイドカードを読み取ったり、あるいは投入された紙幣または硬貨を検知して、遊技者が指定した金額に応じた個数のメダルや遊技球等の遊技媒体を貸し出す装置である。さらに、従来、例えば特許文献１に開示されているように、台間貸出機に表示機能が備えられ、遊技媒体の貸し出し情報等が表示されるものがある。
【０００３】
一方、遊技施設には、複数種類の遊技機が設置され、それぞれの機種毎に、当たりの確率や配当、特有のルール、演出やキャラクタ設定などが異なっている。従来、このような遊技機固有の情報は、小冊子に記載されたり、遊技機に表示されていた。そのため、遊技者がこれらの情報を知りたいときには、遊技施設のホール内に置かれている小冊子を読んだり、遊技機に表示される情報を見たりしていた。
【０００４】
【特許文献１】特開平７−１８５１２１号公報
【発明の開示】
【発明が解決しようとする課題】
【０００５】
しかしながら、遊技機固有の情報が小冊子に記載されている場合、遊技者は、ホール内に置かれている小冊子の中から、当該遊技機に関するものを探して読まなければならず、面倒であった。
【０００６】
また、入れ替えや変更等が頻繁に行われる遊技機の情報を、例えば遊技機の制御部等に記憶させておくと、遊技機が変更されるたびにその内容を更新しなければならず、手間がかかる。
【０００７】
さらに、近年の遊技機は演出が複雑であり、遊技機情報の量が多いため、これらの情報を遊技機に表示するためには、多くのスペースを要する。ところが、遊技機に、情報表示のために多くのスペースを用いると、遊技の演出等のための表示スペースが狭くなり、遊技上の演出効果が低減するという問題がある。
【０００８】
本発明の目的は、遊技機の入れ替えや変更等に容易に対応できるとともに、遊技機の演出効果を低減させることなく、各遊技機固有の情報を遊技者が容易に見ることができる手段を提供することにある。
【課題を解決するための手段】
【０００９】
上記問題を解決するため、本発明は、遊技機ごとに隣接して配置され、前記遊技機に遊技媒体を貸し出す台間貸出機において、前記台間貸出機内部の、前記台間貸出機へ前記遊技媒体を供給する遊技媒体供給部に、不揮発性メモリカード用のカードリーダが設けられていることを特徴とする台間貸出機を提供する。カードリーダを設けることにより、情報の更新を容易に行うことができる。また、台間貸出機内部の遊技媒体供給部には空間が形成されているので、空きスペースを利用してカードリーダを設けることができる。しかも、遊技媒体供給部は、通常時は扉が施錠され、所定の従業員以外は開けることができないようにされているため、メモリカードのセキュリティを確保できる。
【００１０】
前記カードリーダのカード挿入口を覆うカバーが設けられていることが好ましい。カバーを設けることにより、カードリーダ内にごみ等が入るのを防ぐ。また、遊技媒体を供給する際に、カードリーダに遊技媒体が衝突して破損するのを防ぐことができる。
【００１１】
前記カバーは、開いたときに、前記遊技媒体供給部の遊技媒体投入口を塞ぐことが好ましい。これにより、メモリカードの出し入れの際にメモリカードを落としても、メモリカードが遊技媒体投入口から台間貸出機の内部へ入るのを防ぐ。
【００１２】
前記カバーは、前記遊技媒体供給部の扉を閉めるときに、前記扉に連動して閉じ、前記扉を開くときには前記扉に連動せず閉じた状態を保つようにしてもよい。これにより、カードリーダのカバーを閉め忘れることなく、一度の動作でカバーおよび扉の両方を閉めることができる。また、カードリーダのカバーは、メモリカードの交換時以外には開く必要がないので、通常の遊技媒体供給時には、カバーが閉じたままで扉のみが開くことにより、遊技媒体供給作業を円滑に行える。
【００１３】
前記台間貸出機の前面に、前記メモリカードに記録された情報を表示する表示部が備えられ、前記メモリカードには、遊技方法、ボーナス確率、図柄配列、図柄ごとの配当、ボーナス時の払い出し枚数、リプレイタイムの回数、天井の回数、大当たり時の画像、ステージが上がったときの画像、各ステージに現れるキャラクタの画像、の少なくともいずれか一つを含む当該遊技機固有の情報が記録されてもよい。遊技機固有の情報が台間貸出機に表示されるので、遊技者は、遊技機の前に座ったままで、遊技機情報を見ることができる。しかも、遊技機の演出効果を低減することがない。また、遊技機が変更されたときには、メモリカードを交換するだけで、新しい遊技機に関する情報を台間貸出機に表示させることができる。
【００１４】
前記メモリカードには前記情報が複数の画像として記録され、前記表示部にスライドショー方式で表示されてもよい。また、前記メモリカードは、ＳＤカードでもよい。このように、汎用のメモリカードやプログラムを利用して、容易に実施できる。
【００１５】
前記表示部は、前記遊技機からの信号を受けて前記遊技機のリアルタイムの遊技情報を表示可能であることが好ましい。
【発明の効果】
【００１６】
本発明によれば、遊技機の内容や遊技機自体を変更しても、メモリカードを入れ替えるだけで、遊技者が各遊技機固有の情報を見ることができる。しかも、空きスペースを利用しているので、カードリーダを設置するスペースを新たに設ける必要がない。また、遊技機の演出効果を低減させることなく、遊技者が容易に遊技機固有の情報を見ることができる。
【発明を実施するための最良の形態】
【００１７】
以下、本発明の実施の形態を、図を参照して説明する。
【００１８】
パチスロやパチンコ等の遊技施設では、図１に示すように、遊技機２は通常、背中合わせに２列に並べられ、遊技機２に隣接して、各遊技機２一台ずつに対応して台間貸出機１が設置されている。台間貸出機１は、遊技者により挿入された磁気カードやＩＣカード等のプリペイドカードを読み取ったり、あるいは投入された紙幣または硬貨、あるいは専用コイン等を検知して、遊技者が指定した金額に応じた個数のメダルや遊技球等の遊技媒体を貸し出す装置である。
【００１９】
図２は、スロットマシンにメダルを貸し出す台間貸出機１の一例を示す。台間貸出機１は、遊技者から見て手前側である正面側が開口した略直方体状の筐体１０に、上部パネル１１、中部パネル１２、下部パネル１３が着脱可能に取り付けられた構成を有する。本発明では、例えば中部パネル１２と下部パネル１３との間に、液晶パネル等からなる表示部１４が設けられている。表示部１４の位置は図２の例に限ることはないが、遊技者が遊技機２の前に座った状態で見やすい高さに設けることが好ましい。
【００２０】
上部パネル１１には、金銭の代用として用いられる専用のコインを台間貸出機１に投入するためのコイン投入口２１、台間貸出機１内部からコインを払い出すためのコイン払出口２２、遊技者に対してコインの残高等の情報を表示する情報表示部２３、台間貸出機１の動作状態を点灯色等によって表示する状態表示ランプ２４、遊技者がコインに記憶された金額価値を利用するメダルの貸し出しを要求する際に押圧操作する貸出要求スイッチ２５、客がコインの返却を要求する際に押圧操作するコイン返却スイッチ２６、上部パネル１１が筐体１０から外れないように施錠を行う施錠機構２７等が設けられている。
【００２１】
中部パネル１２は、例えば管理者等の特定の従業員が、台間貸出機１内部から紙幣を取り出す際、あるいは、台間貸出機１内部に備えられている機器のメンテナンス等を行う際に開けられる。中部パネル１２の中央部上側には、内部から紙幣を取り出せないように施錠する施錠機構３１が設けられている。中部パネル１２には、紙幣を筐体１０内に備えられた紙幣処理装置へ送る紙幣搬送路（図示省略）に連通する開口３２が貫通形成されている。中部パネル１２の下縁部は、ヒンジ３３を介して、筐体１０に取り付けられている。
【００２２】
下部パネル１３は、下部パネル本体４１、および、従業員がメダルを貸出機本体１内に補給するメダル供給部を開閉する扉４２で構成される。扉４２は、下部パネル本体４１の上方に設けられている。下部パネル本体４１には、貸出機本体１からメダルを排出させるパイプ状のメダル送出ノズル４４が設けられている。このメダル送出ノズル４４の先端部は、メダル貸出機１の側方に隣接させて設けられる遊技機２に設けられているメダル受け皿４（図１）に向けて配置される。即ち、台間貸出機１から排出されたメダルが、メダル送出ノズル４４にガイドされて、メダル受け皿４に供給される。
【００２３】
次に、扉４２およびその内側の構造について、図３〜図７を用いて説明する。図３は、扉４２を開いたときの斜視図である。図４〜図７は扉４２部分の縦断面図であり、図４は扉４２を閉じた状態、図５は扉４２およびカバー６３を開いた状態、図６は扉４２を閉じる途中の状態、図７はカバー６３が閉じられて扉４２のみが開く状態を示している。
【００２４】
図３に示すように、扉４２は、正面側に方形の扉本体５１を有し、メダル供給部５２のメダル投入口５３を開閉できるようになっている。扉本体５１の下縁部は、ヒンジ５４を介して、メダル投入口５３の下縁部に対して回転可能に取り付けられている。また、扉本体５１の左右両側には、フランジ部５５がそれぞれ取り付けられている。左右のフランジ部５５は、それぞれ筐体１０の左内側面、右内側面に沿って延設されている。さらに、扉４２の中央部上側には、メダル供給部５２が遊技者によって開かれないように施錠するための施錠機構４３が設けられている。
【００２５】
施錠機構４３の鍵穴は、扉本体５１の外面に開口されている。扉本体５１の内面側には、施錠用可動片４５が設けられている。施錠用可動片４５は、所定の鍵を鍵穴に差し入れて回転させることにより、例えば側方に移動させることができる。
【００２６】
図３に示すように、ヒンジ５４の回転中心軸は、扉本体５１の下縁部に沿って、水平方向に配置されている。扉４２は、ヒンジ５４を介して下部パネル本体４１に連結されており、回転中心軸を中心として回転することにより、メダル投入口５３を開閉する。
【００２７】
扉４２が閉じた状態では、図４に示すように、扉本体５１は鉛直に立設され、左右のフランジ部５５は、メダル供給部５２の内側に収納される。
【００２８】
一方、扉４２が開かれるときには、図５に示すように、扉本体５１は、上方から次第に外側に開くように、筐体１０に対して傾斜された状態になる。また、左右のフランジ部５５は、メダル供給部５２から外側に引き出される。即ち、左右のフランジ部５５の縁部、傾斜させた扉本体５１の上縁部、及び筐体１０の前部によって囲まれた開口がメダル投入口５３となる。このメダル投入口５３を通じて、メダルが供給される。
【００２９】
メダル投入口５３の上部には、例えばＳＤカードなどの不揮発性のメモリカード用のカードリーダ・ライタ６１が備えられ、表示部１４等に接続されている。ている。カードリーダ・ライタ６１は、カード挿入口６２が前面に配置され、カード挿入口６２の表面を塞ぐカバー６３が設けられている。カバー６３は、カードリーダ・ライタ６１の下端辺に沿って設けられたヒンジ６４を介して、カードリーダ・ライタ６１の上側から下方に向かって開く。扉４２を開き、カードリーダ・ライタ６１のカバー６３を開くと、図３および図５に示すように、カバー６３の先端側の辺６５が、扉本体５１の裏面側に接触し、これにより、メダル投入口５３が塞がれる。したがって、交換時などにメモリカード６を落としても、筐体１０内にメモリカード６が入ってしまうのを防ぐことができる。
【００３０】
カバー６３がカードリーダ・ライタ６１の前面に沿って鉛直に配置され、カード挿入口６２を覆う状態において、カバー６３とカードリーダ・ライタ６１の対向する位置に、例えば互いに係合する部材が設けられている。すなわち、カバー６３とカードリーダ・ライタ６１とは、軽く押すだけで係止されカード挿入口６２の前面が塞がれる構造とされる。したがって、図６に示すように、扉本体５１を閉じる際、扉本体５１と連動して、カバー６３の先端側の辺６５が扉本体５１の裏面に沿って上向きにスライドし、扉本体５１が鉛直になったときに、カバー６３がカードリーダ・ライタ６１に軽く押しつけられ、係止される。すなわち、カバー６３を閉じる際、カバー６３を手で持ってカードリーダ・ライタ６１側へ押しつけることによって閉じてもよいが、扉４２と同時に、カバー６３も閉じられる。このため、カバー６３を閉め忘れることがない。一方、閉じた状態のカバー６３を手で持って前面側へ引くとカバー６３が開くが、扉４２を開くだけでは、カバー６３が連動して開くことはない構造とされている。したがって、メモリカード６の交換等を行わず、メダル供給のみを行う場合には、図７に示すように、扉４２のみを開くとメダル供給口５３が開口し、そのままメダルを供給できる。
【００３１】
以下、上記構成を有する台間貸出機のメモリカードの利用例について説明する。
【００３２】
台間貸出機１には、前述のように、例えばＳＤカードなどの不揮発性のメモリカード用のカードリーダ・ライタ６１が設けられている。また、図２に示すように、そのメモリカード６に記憶された情報を表示する表示部１４が設けられている。
【００３３】
メモリカード６には、隣接して設置されている遊技機２の機種に応じた固有の情報、例えば、初心者向けの遊技方法や、図８に示すようなボーナス確率、図柄配列、図９に示すような図柄ごとの配当およびボーナス時の払い出し枚数、図１０に示すようなリプレイタイムおよび天井の回数、などが記録されている。また、例えば大当たり時またはステージが上がったときに遊技機２に表示される画像や、複数のキャラクタが登場する遊技機において各ステージに現れるキャラクタ等を表示することにより、遊技者の遊技機２に対する関心や理解を深めることができる。これらの情報は、複数枚の画像として記録され、例えば各画像がスライドショー形式で順次表示される。画像とともに音声が台間貸出機１から流れるようにしてもよい。
【００３４】
遊技者は、遊技機２の前に座ったままの状態で、遊技機２に隣接する台間貸出機１の表示部１４から、当該遊技機２に関する各種情報を容易に見ることができる。なお、台間貸出機１に、表示部１４のオンオフボタンを設けて、遊技者が情報を見たいときだけ表示させるようにしてもよい。
【００３５】
また、例えば図１０に示すように、リプレイタイムのカウントを表示したり、プレイ回数を表示して天井が近くなったときに報知するなど、メモリカード６に記録された遊技機情報と連動させて、遊技機２からの信号を受けてリアルタイムの遊技情報を表示させることができる。台間貸出機１と遊技機２との間で信号による通信が行われることにより、例えば起動時に、遊技機２の機種とメモリカード６に記録された遊技機の機種が異なるときには、エラー表示されるようにすることもできる。
【００３６】
さらに、台間貸出機１は、従来、遊戯施設の中核に配置されているホールコンピュータとの間に通信機能を有し、必要な情報を表示することが行われている。本発明の表示部１４においても、メモリカード６に記録された情報に加えて、ホールコンピュータからの情報も表示させることができる。加えて、通常の遊技媒体の貸出機としても、従来の台間貸出機と同様に使用できる。
【００３７】
本発明の台間貸出機１を設置した場合、遊戯施設の管理者は、台間貸出機１の下部パネル１３の扉４２を解錠して開き、内部に設置されたカードリーダ・ライタ６１のカバー６３を開いて、当該遊技機２用の情報が記録されたＳＤカード等のメモリカード６をカード挿入口６２に差し込んで、カバー６３および扉４２を閉じる。遊技機の内容や遊技機自体が変更された場合には、新しい遊技機用の情報が記録されたメモリカードに入れ替えるだけで、その遊技機の情報を台間貸出機１の表示部１４に表示させることができる。遊技者は、遊技機２固有の情報や、遊技機２のリアルタイムのカウント情報等を、表示部１４で見ることができる。台間貸出機１に表示部１４を設けることにより、遊技機２の演出効果を低減させることがない。
【００３８】
なお、上記実施の形態では、メモリカードの読み込みを行う装置をカードリーダ・ライタとしたが、メモリカードに記憶された情報を表示部に表示させるためには、読み込みのみを行うカードリーダでもよい。書き込み機能を有するものとすれば、遊技機の使用状況等、適宜情報を書き込むことが可能となる。
【００３９】
以上、本発明の好適な実施形態について説明したが、本発明はかかる例に限定されない。当業者であれば、特許請求の範囲に記載された技術的思想の範疇内において、各種の変更例または修正例に想到しうることは明らかであり、それらについても当然に本発明の技術的範囲に属するものと了解される。
【００４０】
例えば、メモリカード４に、遊技機２特有の情報の他、店からの連絡情報や広告、また、例えば占い等のようなサービス情報を月替わりに記録して、表示部１２に表示させてもよい。また、メモリカードに記憶された情報を表示する表示部を、遊技機２側に設けても構わない。
【産業上の利用可能性】
【００４１】
本発明は、パチンコ、パチスロ、その他、遊技機間に台間貸出機が設けられる遊技機の台間貸出機に適用できる。
【図面の簡単な説明】
【００４２】
【図１】本発明にかかる台間貸出機および遊技機の配置を示す斜視図。
【図２】本発明にかかる台間貸出機の例を示す斜視図。
【図３】図２の扉４２の内部の構造を示す部分斜視図。
【図４】図２の扉４２を閉じたときの扉内部の構造を示す縦断面図。
【図５】図２の扉４２およびカバー６３を開いたときの扉内部の構造を示す縦断面図。
【図６】図２の扉４２を閉じる途中の扉内部の構造を示す縦断面図。
【図７】図２の扉４２のみを開いたときの扉内部の構造を示す縦断面図。
【図８】図２の表示部の表示例を示す正面図。
【図９】図２の表示部の異なる表示例を示す正面図。
【図１０】図２の表示部のさらに異なる表示例を示す正面図。
【符号の説明】
【００４３】
１    台間貸出機
２    遊技機
６    メモリカード
１０  筐体
１１  上部パネル
１２  中部パネル
１３  下部パネル
１４  表示部
４２  扉
４３  施錠機構
５１  扉本体
５２  メダル供給部
５３  メダル投入口
５４  ヒンジ
５５  フランジ部
６１  カードリーダ・ライタ
６２  カード挿入口
６３  カバー
６４  ヒンジ
【図１】
2009291432.tif 000003
【図２】
2009291432.tif 000004
【図３】
2009291432.tif 000005
【図４】
2009291432.tif 000006
【図５】
2009291432.tif 000007
【図６】
2009291432.tif 000008
【図７】
2009291432.tif 000009
【図８】
2009291432.tif 000010
【図９】
2009291432.tif 000011
【図１０】
2009291432.tif 000012